(57)【要約】【課題】  印刷ユニット間の間隔が充分にとれると共に、各版胴を同位相とすることで版交換等の印刷準備作業やメンテナンス作業の作業性を向上する枚葉紙多色刷オフセット印刷機を提供する。【解決手段】  等径の版胴１とブランケット胴２と、版胴１及びブランケット胴２の２倍の径を有する圧胴３と、版胴１およびブランケット胴２の３倍の径を有する中間胴４とを有する枚葉紙オフセット印刷機において、圧胴３の中心と中間胴４の中心とを結ぶ直線が水平軸に対してなす配列角θを１８°にしたことを特徴とする。これにより、オペレータ一人で短時間に版交換等の印刷準備作業を行うことができると共に、メンテナンス作業の効率化を図ることもできる。【選択図】    図２
2005035214.tif 000002
【特許請求の範囲】
【請求項１】
等径の版胴及びブランケット胴と、前記版胴及び前記ブランケット胴の２倍の径を備える圧胴と、からなる印刷ユニットを複数配置し、前記印刷ユニット間で用紙を搬送する前記版胴及び前記ブランケット胴の３倍の径を備える中間胴を具備した枚葉紙多色刷オフセット印刷機において、
前記圧胴と前記中間胴との配列角（前記圧胴の中心と前記中間胴の中心を結ぶ直線が水平軸に対してなす角度）を１８°としたことを特徴とする枚葉紙多色刷オフセット印刷機。
【発明の詳細な説明】
【技術分野】
【０００１】
本発明は枚葉紙多色刷オフセット印刷機に関し、特に胴配列を改良して版交換等の印刷準備作業及びメンテナンス作業の作業効率を改善した枚葉紙多色刷オフセット印刷機に関する。
【背景技術】
【０００２】
枚葉紙多色刷オフセット印刷機において、印刷機を構成する各色の印刷ユニット間に十分な間隔があれば、印刷機械メーカの組立作業、メンテナンス作業等の作業効率が良く、また、印刷機械のユーザ側にとっても印刷準備作業、メンテナンス作業等の作業効率が良くなるので好ましい。
さらに、作業効率、特に版交換の作業効率を一層向上させるために、各印刷ユニットにおける版胴を同位相にすることは考慮すべき要素の一つと言える。ここで、「版胴を同位相にする」とは、各印刷ユニットに備えられている径を同じにした版胴のギャップ部分を全て同じ位置に配置したことをいう。版胴を同位相にすると版交換作業が一人でも短時間に行える等のメリットがある。
【０００３】
例えば、枚葉紙多色刷オフセット印刷機としては、共通圧胴タイプと専用圧胴タイプのものが知られている。
【０００４】
共通圧胴タイプとは、２つの印刷ユニットに対して１つの圧胴を設ける方式のものである。この共通圧胴タイプを採用した枚葉紙オフセット印刷機の公知のものとして、例えば、図３に示したような等径の版胴１、ブランケット胴２に対して、これら各胴の３倍の径を有する圧胴３と、これら各胴の４倍の径を有する中間胴４とを備えて、相隣り合う印刷ユニットの各ブランケット胴２が異なる位置で共通の圧胴３に接するものが知られている（非特許文献１参照。）。
【０００５】
専用圧胴タイプとは、１つの印刷ユニットに対して１つの圧胴を設ける方式のものである。この専用圧胴タイプを採用した枚葉紙オフセット印刷機の公知のものとして、例えば、図４に示したように、１つの印刷ユニットに版胴１、ブランケット胴２、圧胴３を夫々備え、各印刷ユニット間の用紙の搬送を中間胴４により行うものが知られている（特許文献１参照）
【０００６】
また、専用圧胴タイプで版胴の回転を同位相とするものには、図５に示したような等径の版胴１、ブランケット胴２に対して、これら各胴の２倍の径を有する圧胴３と中間胴４とを備えたものが知られている。この各胴の径の比率で版胴の回転を同位相とするには、圧胴３と中間胴４との配列角を０°または４５°にする必要がある（特許文献２参照）。
【非特許文献１】Ｂｅｓｔｅｃｈ総合カタログ（アキヤマインターナショナル株式会社）
【特許文献１】特開２００３−８９１８５号公報
【特許文献２】実開平０１−１６６５３２号公報
【発明の開示】
【発明が解決しようとする課題】
【０００７】
しかしながら、共通圧胴タイプの場合、２つの印刷ユニットで１つの圧胴を共有しているため、全体がコンパクトに構成されているという利点はあるものの、各印刷ユニット間の間隔が狭小となり、版交換等の印刷準備作業やメンテナンス作業等の作業性において問題があった。
【０００８】
また、専用圧胴タイプの場合、印刷紙が圧胴３から中間胴４に受け渡される際に、印刷紙の尻部分がブランケット胴２により印刷中であると印刷紙の見当精度の低下や印刷紙の受け渡しによるショック目等の印刷障害が発生する可能性がある。
かかる弊害を避けるには、ブランケット胴と圧胴の接している位置から紙が圧胴から中間胴のグリッパに受け渡される位置までの圧胴の周方向に沿う距離がある程度必要である。例えば、菊全紙を印刷する場合であれば、前記距離は理論的に最低でも６３６ｍｍ以上必要である。もし、ある程度の距離がとれないとなると、紙がブランケット胴と圧胴の間で印刷されている最中に中間胴のグリッパに紙が受け渡されることとなり、見当精度を低下させたり、ショック目を発生させたりする要因となる。
しかし、特許文献２で開示されている等径の版胴及びブランケット胴と前記版胴及びブランケット胴の２倍の径を有する圧胴及び中間胴の場合、圧胴及び中間胴の配列角を０°にすると、前記距離を必要なだけとりにくくなる。一方、配列角を４５°にした場合、実用上各印刷ユニット間の間隔が十分にとれない可能性が高いため、版交換等の印刷準備作業やメンテナンス作業の作業効率を低下させる恐れがある。
【０００９】
以上に述べたように、従来の枚葉紙多色刷オフセット印刷機では、その胴配列によって印刷ユニット間の間隔が充分に取れずに印刷準備作業やメンテナンス作業等の作業性が充分でないという問題があった。
さらに、印刷の作業性を向上するためには、各版胴、各ブランケット胴の位相が一致することが望ましく、また、ショック目や見当不良等の印刷障害が発生する可能性をできるだけ抑えたいという要求がある。
【００１０】
本発明は、比較的簡単な構成でこれらの問題を解決し、印刷ユニット間の間隔が充分にとれて、かつ、各版胴、各ブランケット胴の位相が一致している作業性に優れた枚葉紙多色刷オフセット印刷機の実現を課題とする。
【課題を解決するための手段】
【００１１】
以上の課題を解決するため、本発明の枚葉紙多色刷オフセット印刷機は、等径の版胴及びブランケット胴と、前記版胴及び前記ブランケット胴の２倍の径を備える圧胴と、からなる印刷ユニットを複数配置し、前記印刷ユニット間で用紙を搬送する前記版胴及び前記ブランケット胴の３倍の径を備える中間胴を具備した枚葉紙多色刷オフセット印刷機において、前記圧胴と前記中間胴との配列角（前記圧胴の中心と前記中間胴の中心を結ぶ直線が水平軸に対してなす角度）を１８°としたことを特徴とする。
【発明の効果】
【００１２】
このように、圧胴と中間胴との配列角を１８°とすることにより、各版胴について位相を統一し、これによって例えば、１つの版胴を刷版交換位置で停止させると、他のすべての版胴も同様に刷版交換位置で停止することになって刷版の交換が可能になり、オペレータ一人で短時間に版交換作業を行うことができる。また、同位相とすることにより、メンテナンス作業の効率化をはかることもできる。
また、中間胴の径を圧胴よりもさらに大きく、版胴、ブランケット胴の径の３倍の径とすることにより、印刷ユニット間の間隔距離を広くして、印刷機械上で動ける有効空間を従来よりも広い範囲に確保することができる。
また、紙が中間胴にて搬送される際に、紙が曲げられる径を大きくすることができるので、紙にかかる負担を軽減することができ、また、圧胴と中間胴の周速が同じ場合、径の大きい中間胴の回転数は減るから、印刷機械を高速回転する場合に回転によって中間胴にかかる負荷を低減することができる。
【発明を実施するための最良の形態】
【００１３】
以下、本発明の枚葉紙多色刷オフセット印刷機について、図面に沿って詳細に説明する。
【００１４】
図１は本発明の枚葉紙多色刷オフセット印刷機の一実施の形態の構成を示したものである。本実施の形態は、枚葉紙４色オフセット印刷機の例であり、図ではインキング部や水浸し部の構成は省略されている。図１において、符号１ａ〜１ｄは版胴、符号２ａ〜２ｄはブランケット胴、符号３ａ〜３ｄは圧胴、符号４ａ〜４ｃは中間胴、符号５は給紙部、符号６は給紙テーブル、符号７はスイング機構、符号８は渡し胴、符号９はデリバリ胴、符号１０はチェーングリッパ、符号１１は排紙部、符号１２は排紙台である。
【００１５】
印刷動作を簡単に説明すると、給紙部５にパイルされた枚葉紙が給紙テーブル６に送られ、スイング機構７、渡し胴８を順に経て、ブランケット胴２と圧胴３の間を通り、各印刷ユニット毎に各色の印刷が行なわれる。全色の印刷が終わると、印刷された紙はデリバリ胴９からチェーングリッパ１０に渡され、排紙部１１に送られて排紙部１１から排紙台１２へ排紙される。
【００１６】
版胴１ａ〜１ｄの径とブランケット胴２ａ〜２ｄの径とは等径である。これらの胴の外周上に描かれた黒点の部分にギャップが位置している。圧胴３ａ〜３ｄの径は版胴１ａ〜１ｄ、ブランケット胴２ａ〜２ｄの径の２倍であり、圧胴３a〜３ｄの外周円上の直径との交点にあたる黒点の位置にグリッパが２個設けられている。また、中間胴４ａ〜４ｃの径は版胴１ａ〜１ｄ、ブランケット胴２ａ〜２ｄの径の３倍であり、外周円を３等分する３箇所の黒点の位置にグリッパがそれぞれの部分に１つずつ合計で３個設けられている。渡し胴８およびデリバリ胴９については、本実施の形態において特に限定される事項はない。
【００１７】
この実施の形態では、１つの中間胴４に対して両側から１つずつ２つの圧胴３のみが接しており、また、圧胴３にはブランケット胴２が１つだけ接している。そしてブランケット胴２には１つの版胴１のみが接している。
【００１８】
図２は、１つの印刷ユニットにおける版胴１、ブランケット胴２、圧胴３および中間胴４の胴配列を示した配列図である。枚葉紙は、ブランケット胴２と圧胴３の接点Ａから圧胴３の上部を通り、さらに圧胴３と中間胴４の接点Ｂから中間胴４の下部を通り、さらに中間胴４と次の圧胴３との接点Ｃから次の圧胴３の右上部を通って次の印刷ユニットのブランケット胴２と圧胴３の接点Ｄへと運ばれ、これによって印刷が行なわれる。したがって、１つの印刷ユニットでの紙の搬送経路の長さは、圧胴３の上部の円弧ＡＢ、中間胴４の下部の円弧ＢＣ、圧胴３の上右側の円弧ＣＤの和であり、この搬送経路を経て次の印刷ユニットに伝わってゆく。
【００１９】
ところで、各印刷ユニットの間で各版胴１、各ブランケット胴２が同位相になるためには、この搬送経路の全長が版胴１やブランケット胴２の円周の整数倍であることが必要になる。図２で圧胴３の中心を原点とするｘｙ座標を考えた場合、圧胴３の中心と中間胴４の中心とを結ぶ線がｘ軸となす角θを配列角とし、ブランケット胴２の中心と圧胴３の中心とを結ぶ線がｙ軸となす角αとし、圧胴３の半径（ブランケット胴２の直径）をｒとすると、この関係から次の式が成り立つ。
【００２０】
【数１】
2005035214.tif 000003
【００２１】
ただし、ｎは正整数
９０°≧θ≧０°
である。
【００２２】
この式を満足するθを求めると、θ＝１８°または５４°となる。しかし、先にも述べたように配列角を大きくすると印刷ユニット間の間隔が充分に取れなくなるので、実際にはθ＝５４°は妥当ではなく、θ＝１８°を採用することになる。
【００２３】
次にブランケット胴２と圧胴３との位置関係であるが、圧胴３の上部の円弧ＡＢの長さが、菊全紙のサイズが入る程度よりも大きいことが好ましい。このようになるように∠αを決め、ブランケット胴２と圧胴３との接点位置Ａを決める。
最後に版胴１とブランケット胴２との位置関係であるが、特に限定する制限はない。
【００２４】
以上、本発明を一実施の形態に沿って説明したが、本発明はこの実施の形態に限られるものではない。例えば、以上の実施の形態は印刷ユニットが４つの４色オフセット印刷機の例であるが、本発明が印刷ユニットの数が異なる場合についても用いることができるのはいうまでもない。
【産業上の利用可能性】
【００２５】
本発明によると、版胴を全て同位相とすることができるので、版交換等の印刷準備作業が容易になり、オペレータ一人で短時間に版交換作業を行うことが可能な枚葉紙多色刷オフセット印刷機を実現することができる。
さらに、印刷ユニット間の間隔距離を広くできるので、作業員が印刷機械上で動ける有効空間を広く確保することができ、組立作業やメンテナンス作業の作業性を大幅に改善し、操作を小人数の作業員で行うことが可能な枚葉紙多色刷オフセット印刷機を実現することができる。
【図面の簡単な説明】
【００２６】
【図１】本発明の枚葉紙多色刷オフセット印刷機の構成図。
【図２】本発明の枚葉紙多色刷オフセット印刷機の印刷ユニットにおける版胴、ブランケット胴、圧胴および中間胴の配列図。
【図３】従来の枚葉紙オフセット印刷機の胴配列を示す図。
【図４】従来の枚葉紙オフセット印刷機の胴配列を示す図。
【図５】従来の枚葉紙オフセット印刷機の胴配列を示す図。
【符号の説明】
【００２７】
１ａ〜１ｄ      版胴
２ａ〜２ｄ      ブランケット胴
３ａ〜３ｄ      圧胴
４ａ〜４ｃ      中間胴
５              給紙部
６              給紙テーブル
７              スイング機構
８              渡し胴
９              デリバリ胴
１０            チェーングリッパ
１１            排紙部
１２            排紙台
【図１】
2005035214.tif 000004
【図２】
2005035214.tif 000005
【図３】
2005035214.tif 000006
【図４】
2005035214.tif 000007
【図５】
2005035214.tif 000008